(57)【要約】      （修正有）【課題】金封の表書きを手書きで行う場合に、文字が中央に位置するように記載することができる祝儀・不祝儀袋用試し書きシートを提供する。【解決手段】金封２の横幅と略同一の長さの横幅を有する表書き用の試し書きシート１０であって、横方向中央部に、所定形状の開口部２０を設け、開口部の側方にその開口部と略同一形状の試し書き領域３０、３２を設けた。金封に試し書きシートを重ねることによって、試し書きシートの開口部を確実に金封のセンターに位置させることができる。また、開口部と略同一形状の試し書き領域に試し書きをすることができるので、いきなり金封に記載することによって生じる書き損じを防止できる。【選択図】図２
0003137204.tif 000002
【実用新案登録請求の範囲】
【請求項１】
祝儀・不祝儀袋（２）の横幅と略同一の長さの横幅を有する表書き用の試し書きシート（１０）であって、横方向中央部に、所定形状の開口部（２０）を設け、該開口部（２０）の側方に該開口部（２０）と略同一形状の試し書き領域（３０、３２）を設けたことを特徴とする祝儀・不祝儀袋用試し書きシート。
【請求項２】
前記試し書き領域（３２）は、所定数の升目からなることを特徴とする請求項１に記載の祝儀・不祝儀袋用試し書きシート。
【請求項３】
前記開口部（２０）を前記祝儀・不祝儀袋（２）の表書きが表示されるべき部位に位置させた際に、該祝儀・不祝儀袋（２）に設けられた構成物が位置する部位に構成物表示（４０）を設けたことを特徴とする請求項1又は請求項２に記載の祝儀・不祝儀袋用試し書きシート。
【請求項４】
前記試し書きシート（１０）の材質は、前記祝儀・不祝儀袋（２）の材質と同一であることを特徴とする請求項１〜請求項３のいずれか１つの請求項に記載の祝儀・不祝儀袋用試し書きシート。
【考案の詳細な説明】
【技術分野】
【０００１】
本考案は、祝儀袋又は不祝儀袋の表書きを手書きで行う場合に使用する試し書きシートであって、特に、文字が中央に位置するように記載することができる祝儀・不祝儀袋用試し書きシートに関する。
【背景技術】
【０００２】
慶事や弔事の際に贈る金銭を封入する祝儀・不祝儀袋には、表書きとして、氏名や名称等の贈答者を示す文字を手書きで記載する必要があるが、これらの文字は、水引や熨斗などの構成物との位置関係を考慮した上で、適切な位置に表示することが望まれる。
このため、長方形の孔と上下の折り返し部分を設けた祝儀・不祝儀袋用の定規が提案されている。
この定規は、文字を記載すべき部位に長方形の孔が位置するように、祝儀・不祝儀袋の表面に定規を載せ、上下の折り返し部分によって裏面を挟んで祝儀・不祝儀袋を固定した状態で、長方形の孔の中に記載することで、文字のゆがみを防止するものである。
【特許文献１】特開２０００−３３５１９０
【考案の開示】
【考案が解決しようとする課題】
【０００３】
しかしながら、特許文献１の定規は、祝儀・不祝儀袋に載置する際に、長方形の孔が袋の中央に来るように正確に位置合わせをする必要があり、もし、祝儀・不祝儀袋に載置した際に孔の位置がずれていた場合は、袋に記載した文字がセンターから外れて、水引などの構成物とのバランスが崩れ、祝儀袋や不祝儀袋としての美観を大きく損なうこととなる。
【０００４】
そこで、本考案は、祝儀・不祝儀袋の表書きを手書きで行う場合に、文字が中央に位置するように記載することができる祝儀・不祝儀袋用試し書きシートを提供することを目的とする。
【課題を解決するための手段】
【０００５】
上記課題を解決するために、本考案に係る祝儀・不祝儀袋用試し書きシートは、祝儀・不祝儀袋の横幅と略同一の長さの横幅を有する表書き用の試し書きシートであって、横方向中央部に、所定形状の開口部を設け、該開口部の側方に該開口部と略同一形状の試し書き領域を設けたことを特徴とするものである。
ここで「祝儀・不祝儀袋」とは、慶事や弔事の際に贈る金銭を封入するための袋であり、金封、本多当、略式多当、万円袋、円入り袋等を含むものである。
【０００６】
この場合、前記試し書き領域は、所定数の升目からなるものであってもよい。
また、前記開口部を前記祝儀・不祝儀袋の表書きが表示されるべき部位に位置させた際に、該祝儀・不祝儀袋に設けられた構成物が位置する部位に構成物表示を設けてもよい。
さらに、前記試し書きシートの材質は、前記祝儀・不祝儀袋の材質と同一であってもよい。
【考案の効果】
【０００７】
請求項１に係る考案によれば、祝儀・不祝儀袋の横幅と略同一の長さの横幅を有する表書き用の試し書きシートにおいて、横方向中央部に所定形状の開口部を設けたので、祝儀袋又は不祝儀袋に試し書きシートを重ねることによって、試し書きシートの開口部を確実に袋のセンターに位置させることができる。
また、開口部の側方に、この開口部と略同一形状の試し書き領域を設けたので、いきなり祝儀袋や不祝儀袋に記載することによって生じる書き損じを防止できる。また、試し書き領域に、記載しようとする文字を予め記載しておくことで、文字の大きさや間隔等の適否を確認することができる。
【０００８】
このように、試し書き領域で表書きの練習をし、その文字間隔の確認をした後に、横方向中央部に位置する開口部を介して、祝儀・不祝儀袋の表面に表書き用の文字を記載するので、文字を袋の中央にバランス良く表示することができる。
請求項２に係る考案によれば、試し書き領域を、所定数の升目によって構成したので、升目に合わせて文字を記載することによって、文字間のバランスを良好なものとすることができる。
【０００９】
請求項３に係る考案によれば、水引、熨斗又は斜折線などの祝儀・不祝儀袋に設けられた構成物の位置を表示する構成物表示を設けたので、かかる構成物とのバランスを考慮して開口部内に文字を記載することができ、祝儀袋又は不祝儀袋としての美観を一層高めることができる。
請求項４に係る考案によれば、試し書きシートの材質を祝儀・不祝儀袋の材質と同一のものにしたので、祝儀袋又は不祝儀袋に記載したときと同様の筆感で試し書きを行うことができる上、実際に記載した際の滲みの発生等を、予め知っておくことができる。
【考案を実施するための最良の形態】
【００１０】
以下、本考案の実施形態を図面に基づいて説明する。
図１は、本考案の実施形態に係る祝儀・不祝儀袋用試し書きシート１を示す平面図である。この祝儀・不祝儀袋用試し書きシート１は、図２に示すように、祝儀袋として使用される金封２の表書きを手書きで行う際に使用するものであり、矩形の平面部材１０に、開口部２０と、試しがき用の領域３０、３２と、構成物表示４０とを設けて構成したものである。
この平面部材１０は、金封２と同じ材質のシート材からなり、横方向の長さは、金封２の横幅と略同一であり、縦方向の長さは、金封２の縦方向の長さの約１／２である。
【００１１】
この平面部材１０の横方向中央部には、縦長の長方形状の開口部２０が形成されている。この開口部２０は、金封２の表書きとして好ましい文字の大きさに合わせて設計されており、例えば、横×縦が２．３ｃｍ×７．３ｃｍに設計されている。
開口部２０の両側には、該開口部２０と略同一形状の試し書き領域３０、３２が設けられている。開口部２０の一側（即ち、右側）に設けられた第１の試し書き領域３０は、開口部２０と同じ大きさの長方形の枠として構成され、他側（即ち、左側）に設けられた第２の試し書き領域３２は、所定数の升目として構成されている。升目の数は、氏名の文字数として一般的な数（例えば、４文字）となっており、升目の集合体によって、開口部２０と同一形状の試し書き用の領域を形成している。
【００１２】
平面部材１０の上部には、金封２における水引４の位置を示す構成物表示４０が設けられている。この構成物表示４０は、水引４などの金封２に設けられた構成物の位置の目印となる表示であれば如何なるものであってもよいが、本実施形態では、平面部材１０を金封２に重ね合わせた際に位置すべき水引４の形状を、そのまま表示している。
この平面部材１０の開口部２０と試し書き領域３０、３２を除く所定領域には、この祝儀・不祝儀袋用試し書きシート１の使用方法を説明する表示１２、材質に関する表示１４が設けられている。
【００１３】
上記構成の祝儀・不祝儀袋用試し書きシート１の使用方法を説明する。
まず、図２に示すように、金封２の上に祝儀・不祝儀袋用試し書きシート１を重ねて載置する。
そして、試し書き領域３０、３２に、金封２に記載しようとする文字を書く。この際、金封２は、金封２と同一の材質であるので、直接金封２に記載した場合と同一の筆感で書くことができる。また、金封２が和紙等の滲み易い材料で構成されていた場合、その滲み具合を予め知ることができる。
【００１４】
そして、試し書き領域３０、３２に書いた際の筆感や滲み具合、文字間隔等を考慮に入れて、開口部２０を介して金封２に氏名等を書く。
このように、祝儀・不祝儀袋用試し書きシート１の横方向中央部に設けられた開口部２０を介して金封２に表書きを記載するので、金封２０の中央にバランス良く表書きを表示することができる。また、試し書きの際に、金封２に書いた場合と同様の体験をすることができるので、文字の大きさや間隔等の適否を確認することができる上に、直接書いた際の失敗を低減できる。
【００１５】
なお、本実施形態においては、平面部材１０の所定位置に水引４の形の構成物表示４０を設けたが、熨斗や斜折線等に相当する位置に構成物表示を設けてよいし、図３に示すように、構成物表示を設けなくてもよい。
また、本実施形態では、開口部２０の両側に異なる態様の試し書き領域を設けたが、例えば、図４（ａ）に示すように、夫々の側に異なる升目数の試し書き領域３２、３４を設けても良いし、図４（ｂ）に示すように片側のみに型枠からなる試し書き領域３０を設けてもよい。
【００１６】
また、本実施形態では、平面部材１０の縦方向長さを金封２の長さの約１／２にしたが、金封２と同一長さにしてもよい。この場合、平面部材の上部に、「御祝」等の贈答目的を表示する文字を記載するための開口部を設けてもよいし、上部から下部にかけての領域に、贈答目的と贈答者の双方を表示するための開口部を設けてもよい。
【図面の簡単な説明】
【００１７】
【図１】本考案の実施形態に係る祝儀・不祝儀袋用試し書きシートを示す正面図である。
【図２】上記祝儀・不祝儀袋用試し書きシートの使用状態を示す正面図である。
【図３】上記祝儀・不祝儀袋用試し書きシートの変形例を示す正面図である。
【図４】上記祝儀・不祝儀袋用試し書きシートの試し書き領域の変形例を示す正面図である。
【符号の説明】
【００１８】
１・・・祝儀・不祝儀袋用試し書きシート
２・・・金封（祝儀・不祝儀袋）
４・・・水引（構成物）
１０・・・平面部材（試し書きシート）
１２・・・使用方法を説明する表示
１４・・・材質に関する表示
２０・・・開口部
３０、３２、３４・・・試し書き領域
４０・・・構成物表示
【図１】
0003137204.tif 000003
【図２】
0003137204.tif 000004
【図３】
0003137204.tif 000005
【図４】
0003137204.tif 000006